(57)【要約】【課題】第１および第２の波形表示を行う超音波探傷装置において表示処理を高速に行うことを可能とし、検査速度を阻害することなくリアルタイムの表示を可能とする。【解決手段】受信回路４２１は反射波の受信信号を取り込みＡ／Ｄ変換する。受信ビームフォーマ４２２は受信信号に受信ビームフォーミング処理を施し、第１のデュアルポートメモリ４１１にピクセルに展開して書き込み、特定ビーム番号４２４に係る受信信号を第２のデュアルポートメモリ４１２に書き込む。Ａスコープ画像描画回路４３２は受信信号から補間処理を施したＡスコープ画像のラスタ信号を生成する。画像合成回路４３３はセクタ画像およびＡスコープ画像を合成して表示画像を生成し、モニタ５に出力する。【選択図】    図２
2006214847.tif 000002
【特許請求の範囲】
【請求項１】
反射波受信信号のサンプリングレートを規定する第１のクロックを発生する第１のクロック発生手段と、
表示画像のピクセルレートを規定する第２のクロックを発生する第２のクロック発生手段と、
第１のクロックに同期して書き込み動作を行うと共に第２のクロックに同期して読み出しを行う第１および第２のデュアルポートメモリと、
前記第１のクロックに同期して動作し前記反射波受信信号をサンプリングして第１の画像および第２の画像を生成し該第１および第２の画像をそれぞれ第１および第２のデュアルポートメモリに書き込む受信処理手段と、
前記第２のクロックに同期して動作し第１および第２のデュアルポートメモリから第１および第２の画像を読み出して表示画像を生成する出力処理手段とを備えたことを特徴とする超音波探傷装置。
【請求項２】
前記受信処理手段は、サンプリングした反射波受信信号を被検体の走査断面上のピクセルに展開して走査断面画像を生成し該走査断面画像を第１の画像として第１のデュアルポートメモリに書き込む第１の描画回路を有することを特徴とする請求項１記載の超音波探傷装置。
【請求項３】
前記受信処理手段は、あらかじめ指定された超音波ビームに係る反射波受信信号を弁別して第２の画像として第２のデュアルポートメモリに書き込む弁別回路を有し、
前記出力処理手段は、第２のデュアルポートメモリから第２の画像を読み出してＡスコープ画像のラスタ信号を逐次生成出力する第２の描画回路と、前記第１のデュアルポートメモリから走査断面画像のラスタ信号を読み出すと共に第２のデュアルポートメモリからＡスコープ画像のラスタ信号を受信し両画像を合成して表示画像を生成する画像合成回路とを有することを特徴とする請求項１または２記載の超音波探傷装置。
【請求項４】
前記弁別回路は、弁別した反射波受信信号の第１のクロックごとの過去の最大値を記憶更新し、該過去の最大値を第１のクロックに従って第２のデュアルポートメモリに書き込むものであることを特徴とする請求項３記載の超音波探傷装置。
【請求項５】
前記第２の描画回路は、懸案ピクセルに係る受信信号および隣接するピクセルに係る受信信号に対応するラスタ番号をそれぞれ取得し、取得した両ラスタ番号間に現在のラスタ番号があるときに懸案ピクセルを出力することにより波形の補間を行うものであることを特徴とする請求項３または４記載の超音波探傷装置。
【発明の詳細な説明】
【技術分野】
【０００１】
この発明は、反射波受信信号に基づいて異なる画像を生成し、各画像をリアルタイムで表示する超音波探傷装置に関し、特にかかる画像表示を高速に行えるようにした超音波探傷装置に関する。
【背景技術】
【０００２】
従来の超音波探傷装置として、例えば特許文献１記載のものがある。電子走査による超音波ビームによって被検体を探傷し、その結果を解析してＢスコープをモニタ画面下部に表示すると共に、Ｂスコープの画像の特定領域内の最大エコーを意味するＡスコープをモニタ画面上部に表示する。かかる一連の表示処理にあって、Ｂスコープ表示工程、最大エコーを検出した走査チャネルを検索する工程、検索された走査チャネルをＢスコープ上でマーキングすることによりＡスコープ表示対象を特定して表示する工程を順次行う。
【特許文献１】特開２００４−１９１１１１号公報
【発明の開示】
【発明が解決しようとする課題】
【０００３】
特許文献１に記載される従来の技術では、Ｂスコープ画像の表示工程、Ａスコープ表示対象の特定工程、Ａスコープ画像の表示工程を順次行うため、Ａスコープ画像およびＢスコープ画像の２種類の画像作成をシリーズで実行することになる。この結果、描画までの時間がかかって描画のリフレッシュフレームレートが下がってしまい、このことが障害となって検査処理の高速化を阻害してしまう問題があった。
【０００４】
たとえば超音波探傷装置を高速画像表示機能を備えた汎用の情報処理端末に接続し、表示処理を実行させることとすれば上記の問題は緩和されるであろうが、情報処理端末も含めた装置の構成が大がかりなものとなってしまい、超音波探傷装置の可搬性が阻害される問題を生じる。
【０００５】
この発明は、このような事情に鑑み、異なる２つの波形表示を行う超音波探傷装置において表示処理を高速に行うことを可能として検査処理の高速化に寄与する技術を提供すること課題とする。
【課題を解決するための手段】
【０００６】
上記の課題を解決するために請求項１記載の発明にあっては、次の手段を備えたことを特徴とする超音波探傷装置を提供する。
（１）反射波受信信号のサンプリングレートを規定する第１のクロックを発生する第１のクロック発生手段。
（２）表示画像のピクセルレートを規定する第２のクロックを発生する第２のクロック発生手段。
（３）第１のクロックに同期して書き込み動作を行うと共に第２のクロックに同期して読み出しを行う第１および第２のデュアルポートメモリ。
（４）前記第１のクロックに同期して動作し前記反射波受信信号をサンプリングして第１の画像および第２の画像を生成し該第１および第２の画像をそれぞれ第１および第２のデュアルポートメモリに書き込む受信処理手段。
（５）前記第２のクロックに同期して動作し第１および第２のデュアルポートメモリから第１および第２の画像を読み出して表示画像を生成する出力処理手段。
【０００７】
また請求項２記載の発明にあっては、請求項１記載の超音波探傷装置において、前記受信処理手段は、サンプリングした反射波受信信号を被検体の走査断面上のピクセルに展開して走査断面画像を生成し該走査断面画像を第１の画像として第１のデュアルポートメモリに書き込む第１の描画回路を有することを特徴とする超音波探傷装置を提供する。
【０００８】
また請求項３記載の発明にあっては、請求項１または２記載の超音波探傷装置において次の要件を具備したことを特徴とするものを提供する。
（１）前記受信処理手段は、あらかじめ指定された超音波ビームに係る反射波受信信号を弁別して第２の画像として第２のデュアルポートメモリに書き込む弁別回路を有する。
（２）前記出力処理手段は、第２のデュアルポートメモリから第２の画像を読み出してＡスコープ画像のラスタ信号を逐次生成出力する第２の描画回路と、前記第１のデュアルポートメモリから走査断面画像のラスタ信号を読み出すと共に第２のデュアルポートメモリからＡスコープ画像のラスタ信号を受信し両画像を合成して表示画像を生成する画像合成回路とを有する。
【０００９】
また請求項４記載の発明にあっては、前記弁別回路は、弁別した反射波受信信号の第１のクロックごとの過去の最大値を記憶更新し、該過去の最大値を第１のクロックに従って第２のデュアルポートメモリに書き込むものであることを特徴とする請求項３記載の超音波探傷装置を提供する。
【００１０】
また請求項５記載の発明にあっては、前記第２の描画回路は、懸案ピクセルに係る受信信号および隣接するピクセルに係る受信信号に対応するラスタ番号をそれぞれ取得し、取得した両ラスタ番号間に現在のラスタ番号があるときに懸案ピクセルを出力することにより波形の補間を行うものであることを特徴とする請求項３または４記載の超音波探傷装置を提供する。
【発明の効果】
【００１１】
この発明によれば、第１および第２の画像を記憶する第１および第２のデュアルポートメモリを構成し、これらのメモリの前段における受信処理手段は反射波受信信号のサンプリングレートを規定する第１のクロックで動作させ、後段における出力処理手段は表示画像のピクセルレートを規定する第２のクロックで動作させることとしたので、検査速度を阻害することなくリアルタイムで第１および第２の画像の表示を実行することが可能となる。
【００１２】
また第１のデュアルポートメモリへの第１の画像の書き込みにあたって、サンプリングした反射波受信信号を被検体の走査断面上のピクセルデータに展開して走査断面画像を生成し、この走査断面画像を第１の画像とすることにより、第１の画像としてセクタ画像等の走査断面画像を表示することが可能となる。一方、第２のデュアルポートメモリへの書き込みにあたって、あらかじめ指定された超音波ビームに係る反射波受信信号を弁別して書き込みを行うことにより、第２の画像としてＡスコープ画像を表示することが可能となる。
【００１３】
また第２のデュアルポートメモリから第２の画像を読み出してＡスコープ画像のラスタ信号を逐次生成出力し、前記第１のデュアルポートメモリから走査断面画像のラスタ信号を読み出すと共に第２のデュアルポートメモリからの受信信号を使って生成したＡスコープ画像のラスタ信号を受信し両画像を合成して表示画像を生成する手法をとれば、高速に画像合成処理を行うのに好適な形態となる。
【００１４】
また第２のデュアルポートメモリへの書き込みにあたって、弁別した反射波受信信号の第１のクロックごとの過去の最大値を記憶更新しておくこととし、受信する反射波信号はこの過去の最大値を更新するのに使用し、この過去の最大値を第１のクロックに従って第２のデュアルポートメモリに書き込むこととすれば、常に観察している波形は実質的に最大感度での探傷波形と等しくなり、細かい欠陥の見落とし防止が可能になる。
【００１５】
また第２のデュアルポートメモリから読み出したＡスコープ画像のラスタ信号を生成するにあたって、懸案ピクセルに係る受信信号および隣接するピクセルに係る受信信号に対応するラスタ番号をそれぞれ取得し、取得した両ラスタ番号間に現在のラスタ番号があるときに懸案ピクセルを出力することにより、波形の補間処理を高速に処理するのに好適な形態となる。
【発明を実施するための最良の形態】
【００１６】
以下、図面を用いてこの発明の実施形態を説明する。
図１は、この発明の一実施形態に係る超音波探傷装置の概略を示すブロック図である。同図に示すようにコントローラ１は、この超音波探傷装置全体を統括的に制御するものであり、マイクロコンピュータを用いて構築される。圧電素子２は、超音波の発生および反射波の検出を行う素子であり、図示しないがプローブ内で複数並列して設置されている。
【００１７】
超音波発生制御回路３は、圧電素子２の超音波発生動作を制御する回路であり、パルス発生器３０１や遅延発生回路３０２、駆動回路３０３からなる。パルス発生器３０１は、コントローラ１からの指令によりたとえば１ｋＨｚの送信タイミング信号を発生する回路である。遅延発生回路３０２は、パルス発生器３０１からのパルスを遅延させて伝搬する回路であり、コントローラ１からの遅延指示に従って伝搬信号に所定の遅延を与える遅延要素を有する。駆動回路３０３は、パルス入力をトリガとして圧電素子２を振動駆動して超音波発生動作を行わせる回路である。遅延発生回路３０２や駆動回路３０３は、圧電素子２に対応して複数設置されている。
【００１８】
信号処理回路４は、コントローラ１の主制御のもと、圧電素子２の反射波の受信信号を取り込んで信号処理を施し、モニタ５に対して描画処理を実行させる回路である。モニタ５は、装置前面に設置された液晶ディスプレイ等の表示装置である。キースイッチ６は装置前面に設置され、検査者によって操作されて各種の入力を行う装置である。
【００１９】
この超音波探傷装置の動作の概略を説明すると、検査者がキースイッチ６を操作して検査開始を指示すると、この指示を受けてコントローラ１は、超音波発生制御回路３に動作開始を指示する。超音波発生制御回路３において、パルス発生器３０１がパルス発生動作を開始し、複数の遅延発生回路３０２が電子走査を行う送信タイミングでそれぞれパルスを遅延出力する。各駆動回路３０３は、遅延後のパルスの入力をもって各圧電素子２を振動駆動して超音波を発生させる。
【００２０】
発生した超音波は被検体内に射出され、所定の入射角度、フォーカス点となるような超音波ビームを生成する。超音波ビームは、被検体内の欠陥や底面で反射し、かかる反射波を圧電素子２がピックアップして反射波の受信信号として信号処理回路４に出力する。信号処理回路４は反射波の受信信号を取り込んでＡ／Ｄ変換を行い、所定の信号処理を施してセクタ画像やＡスコープ画像の描画処理を行い、これらの画像を合成処理した後、モニタ５に表示させる。検査者は、モニタ５の表示画像より被検体内の傷の有無等を評価する。
【００２１】
図２は、信号処理回路の内部構成を示すブロック図である。第１および第２のデュアルポートメモリ４１１，４１２は、書き込みを行う第１のポートおよび読み出しを行う第２のポートを備えたメモリである。第１のデュアルポートメモリ４１１は、セクタ画像を描画するためのビットマップメモリを構成している。第２のデュアルポートメモリ４１２は、特定のビームに係る受信信号を格納するためのメモリである。
【００２２】
第１および第２のデュアルポートメモリ４１１，４１２の第１のポート側は受信信号の受信系クロックで動作する回路で構成され、第２のポート側は表示系クロックで動作する回路で構成されている。受信系クロックおよび表示系クロックは、図示しないクロック発生器から与えられるクロックパルスである。受信系クロックは、Ａ／Ｄ変換におけるサンプリングレートを規定する周波数に整定されている。表示系クロックは、表示画面におけるピクセルレートを規定する周波数に整定されている。
【００２３】
第１のポート側には、受信回路４２１や受信ビームフォーマ４２２、セクタ画像描画回路４２３が設けられている。受信回路４２１は、圧電素子でピックアップした反射波の受信信号を取り込んでＡ／Ｄ変換する回路である。受信ビームフォーマ４２２は、反射波の受信信号に対し遅延処理や加算処理等を施し、所定のフォーカス点やフォーカス角度の信号成分を強調する受信ビームフォーミング処理をする回路である。
【００２４】
この受信ビームフォーマ４２２は、受信ビームフォーミング処理後の信号をセクタ画像描画回路４２３に出力する他、第２のデュアルポートメモリ４１２の第１ポート側のデータ入力バスにも供給する。セクタ画像描画回路４２３は、受信ビームフォーミング処理後の信号を第１のデュアルポートメモリ４１１に書き込むことにより、第１のデュアルポートメモリ４１１内にセクタ画像の描画処理を行う回路である。受信ビームフォーマ４２２やセクタ画像描画回路４２３等における書き込みクロックは、上記の受信系クロックが用いられている。
【００２５】
一方、第１のデュアルポートメモリ４１１および第２のデュアルポートメモリ４１２の第２のポート側には、ビデオ同期信号生成部４３１やＡスコープ画像描画回路４３２、画像合成回路４３３が設けられている。ビデオ同期信号生成部４３１は、モニタ５に対する水平・垂直同期信号４３４を生成出力する他、この水平・垂直同期信号４３４に同期して第１のデュアルポートメモリ４１１や第２のデュアルポートメモリ４１２の第２のポートにアドレス４３５，４３６を出力し、さらにＡスコープ画像描画回路４３２や画像合成回路４３３に対して動作タイミングを指示する回路である。第１および第２のデュアルポートメモリ４１１，４１２の読み出しクロックも、上記の表示系クロックが用いられている。
【００２６】
Ａスコープ画像描画回路４３２は、第２のデュアルポートメモリ４１２に蓄積された特定のビームに係る受信信号４１２−１に補間処理を施してＡスコープ画像を描画して画像合成回路４３３に出力するものである。画像合成回路４３３は、第１のデュアルポートメモリ４１１から読み出されるセクタ画像を取り込むと共に、Ａスコープ画像描画回路４３２から供給されるＡスコープ画像を取り込み、両画像を所定の位置に配置した合成画像を生成してモニタ５に出力する。
【００２７】
図３は、表示画面の一例を示す説明図である。同図に示すように表示画面７は、走査断面セクタを表示するセクタ画像表示部分７０１と、あらかじめ検査者が装置に指定したビーム番号（以下「特定ビーム番号」という。）に係るＡスコープ画像を表示するＡスコープ画像表示部分７０２とを有する。セクタ画像表示部分７０１には、カーソル７０３が表示されている。カーソル７０３の示す位置情報から上記の特定ビーム番号が定められ、かかる特定ビーム番号に係る受信信号がＡスコープ画像７０２に表示される。検査者は現場でカーソル７０３の位置を変えることにより、セクタ画像中の所望するビームのＡスコープ画像をリアルタイムで見ることができる。
【００２８】
図２に戻って信号処理回路の動作の概略を説明すると、圧電素子でピックアップした反射波の受信信号は受信回路４２１により逐次取り込まれ、Ａ／Ｄ変換されて受信ビームフォーマ４２２に出力される。受信ビームフォーマ４２２は、Ａ／Ｄ変換後の反射波の受信信号に上記の受信ビームフォーミング処理を施したうえで、第１のデュアルポートメモリ４１１にピクセルに展開して蓄積していくことによりセクタ画像を描画する。さらにコントローラ１からの特定ビーム番号４２４に係る反射波の受信信号については、第２のデュアルポートメモリ４１２にも書き込んでいく。
【００２９】
このようにして第１および第２のデュアルポートメモリ４１１，４１２に書き込んだデータは、ビデオ同期信号生成部４３１の制御のもと、第２のポート側より読み出される。Ａスコープ画像描画回路４３２は、第２のデュアルポートメモリ４１２から受信信号４１２−１を読み出し、Ａスコープ画像のラスタ信号４３２−１を逐次生成出力する。このとき、受信信号４１２−１の補間処理も同時に行って波形画像として整形する。
【００３０】
すなわち画像合成回路４３３には、第１のデュアルポートメモリ４１１からセクタ画像がラスタ信号４１１−１として読み出され、Ａスコープ画像描画回路４３２からＡスコープ画像がラスタ信号４３２−１として出力される。画像合成回路４３３は、両画像を合成して表示画面７（図３参照）に相当する合成画像を生成し、モニタ５に出力する。
【００３１】
次にセクタ画像の描画処理の具体例について説明する。
セクタ画像描画回路４２３において、第１のデュアルポートメモリ４１１への書き込み動作は、受信回路４２１による反射波の受信信号の取り込み動作と同期して行われ、受信ビームフォーマ４２２から受信信号をそのまま逐次書き込んでいく。
【００３２】
このときの書き込みアドレスは、セクタ画像描画回路４２３で所定の演算を行うことにより取得される。すなわちセクタ画像描画回路４２３は、ビームの射出角度と表示サイズを使用し、反射波の受信信号の時間情報（距離情報）を表示系のＸ軸及びＹ軸の座標情報に変換する。この座標情報を表示位置に基づいて移動変換してアドレス４２７を算出する。算出したアドレス４２７を用いて受信データを第１のデュアルポートメモリ４１１に蓄積していくことにより、セクタ画像表示部分７０１（図３参照）に表示されているようなセクタ画像を描画する。
【００３３】
次にAスコープ画像の描画処理の具体例について説明する。
受信ビームフォーマ４２２は、特定ビーム４２４をコントローラ１から取得し、受信ビームフォーミング処理後の受信信号のうち、特定ビーム番号に係る受信信号４２５を第２のデュアルポートメモリ４１２の第１ポート側のデータ入力バスに供給する。この受信信号４２５は、コントローラ１から指定されるアドレス４２６に基づいて第２のデュアルポートメモリ４１２の所定アドレスに書き込まれる。このアドレス４２６の指定にあたりコントローラ１は、アドレス４２６の増加レートを表示レンジ（音速と時間）・表示ピクセル数から演算する。
【００３４】
ここで受信ビームフォーマ４２２が第２のデュアルポートメモリ４１２に与える受信信号４２５として、過去の最大値を記憶した信号を用いる形態をとることもできる。すなわち受信ビームフォーマ４２２において、現在の特定ビームに係る過去の受信信号の最大値を第１のクロック単位ごとに図示しないメモリ（以下過去信号メモリという）に記憶しておく。そしてアドレス４２６が変化して受信信号４２５を書き込む際に、過去信号メモリから読み出した過去の最大値と、受信回路４２１から今回受信した受信信号とを比較する。この結果、大きいほうの値を採用して受信信号４２５として第２のデュアルポートメモリ４１２に出力すると共に、今回の受信信号が過去の最大値より大きい場合は、今回の受信信号の値をもって過去信号メモリの当該クロックにおける記憶内容を更新する。特定ビーム番号４２６が変化すると過去信号メモリは初期化され、新しい特定ビームに係る受信信号について過去の最大値の記憶更新動作が新規に開始される。
【００３５】
図４は同形態における受信信号の書き込みの様子を示すタイムチャートであり、図４（ａ）は第１のクロックパルスを示し、図４（ｂ）は今回の受信信号の一例を示し、図４（ｃ）は記憶されている過去の最大値の一例を示し、図４（ｄ）は第２のデュアルポートメモリへの出力信号の一例を示す。また図（ａ）において縦軸は信号の論理、横軸は時間を示し、図（ｂ）〜（ｄ）において縦軸は信号強度、横軸は時間を示す。同図に示すように受信ビームフォーマは第１のクロックパルスごとに受信信号を取り込み、過去の最大値と比較して大きいほうの値を当該クロックパルスにおける出力値とする。この例では、図（ｃ）（ｄ）間の補助線で示す部分の信号が過去の最大値を反映した値をとり、第２のデュアルポートメモリへの出力信号が図（ｄ）に示すものとなる。この結果、同一の特定ビームが指定されている期間、常に観察している波形は実質的に最大感度での探傷波形と等しくなり、細かい欠陥の見落とし防止が可能になる。
【００３６】
次にＡスコープ画像の描画処理の具体例について説明する。
ビデオ同期信号生成部４３１は、第２のデュアルポートメモリ４１２に対し１ライン分の読み出しアドレス４３５を繰り返し出力する。この読み出しアドレス４３５により第２のデュアルポートメモリ４１２から読み出された受信信号４１２−１は、Ａスコープ画像描画回路４３２にてビデオ同期信号生成部４３１から出力されているラスタ番号４３７と比較され、一致したときのみ、表示ピクセルデータを画像合成回路４３３に出力することで、リアルタイムにＡスコープ画像を生成している。
【００３７】
すなわち、ラスタ番号４３７はビデオ同期信号に同期して生成され、たとえば受信信号４１２−１が８ビットの場合、Ａスコープ画像表示領域の先頭ラインに「２５５」が割り当てられ、２番目に「２５４」が割り当てられ、以後のラインに「−１」ずつ減小するラスタ番号が割り当てられる。受信信号４１２−１が最大値「２５５」の場合、Ａスコープ画像表示領域の先頭であるラスタ番号「２５５」のときに、表示ピクセルデータが出力され、受信信号が最小値「０」の場合、Ａスコープ画像表示領域の末尾であるラスタ番号「０」のときに、表示ピクセルデータが出力される。
【００３８】
ここで、Ａスコープ画像描画回路４３２がセクタ画像描画回路４２３と異なり、第２のデュアルポートメモリ４１２の後段に接続されている理由は、Ａスコープ波形の補間処理を簡素なアルゴリズムで高速に実行することを可能とするためである。
【００３９】
図５は、補間処理の一例を示す説明図であり、（ａ）は受信信号の一例を示し、（ｂ）は補間処理前の画像を示し、（ｃ）は補間処理後の画像を示す。たとえば同図（ａ）に示すような受信信号が受信ビームフォーマ４２２から出力されて第２のデュアルポートメモリ４１２に書き込まれている。もしＡスキャン画像処理をＡ／Ｄクロック単位で処理しようとすると同図（ｂ）のようなＡスコープ画像になる。この場合、各ピクセル間に隙間があり、波形の視認性が悪くなる。この実施形態では、たとえば下記の手法によりかかるピクセル間の隙間をリアルタイムで補間することとしている。
【００４０】
すなわち、図５（ａ）のような受信信号が第２のデュアルポートメモリ４１２に格納されている場合、後段のＡスコープ画像描理回路４３２がピクセルクロック単位で処理を行う場合、上記のラスタ番号４３７との受信信号の比較基準を「１つ前の受信信号＜ラスタ番号≦現在の受信信号」または「現在の受信信号≦ラスタ番号＜１つ前の受信信号」とし、この比較基準を満足したら表示ピクセルデータを出力する、というアルゴリズムに従って出力処理を行うことにより、図５（ｃ）のように各ピクセル間の補間線を付加することが可能となる。Ａスコープ画像の拡大表示を行う場合は、受信信号を拡大率により補正して得られるラスタ番号を用いて同様のアルゴリズムに従って処理を行えばよい。
【００４１】
次にセクタ画像およびＡスコープ画像の画像合成処理の具体例について説明する。
ビデオ同期信号生成部４３１は、第１のデュアルポートメモリ４１１への読み出しアドレス４３５として、１フレーム分のアドレス（たとえば、ＶＧＡフォーマットなら６４０×４８０ピクセル）を供給している。
【００４２】
しがたって画像合成回路４３３では、第１のデュアルポートメモリ４１１から取り込んだデータをそのまま表示ピクセルデータとしてセクタ画像表示部分７０１に当て嵌める。同様にＡスコープ画像描画回路４３２から取り込んだデータをそのまま表示ピクセルデータとしてＡスコープ画像表示部分７０２に当て嵌める。このことよりセクタ画像およびＡスコープ画像を合成した表示画像をリアルタイムで生成できる。
【００４３】
Ａスコープ画像描画回路４３２には、最大値を示す基線の出力パターンがあらかじめ選択されており、第２のデュアルポートメモリ４１２から読み出した上記の最大信号に対応するラスタ番号（拡大率＝１のときは最大値信号と同じ値のラスタ番号）については、選択されている出力パターンに従って当該ラスタ内のピクセルの出力を決定するアルゴリズムが追加されている。このことより最大値レベルを示す基線がＡスコープ画像上に表示されるので、検査者が波形の最大値を認識して欠陥等を評価する際の支援として有益である。
【００４４】
以上、この発明の実施形態を詳述してきたが、具体的な構成はこの実施形態に限られるものではなく、この発明の要旨を逸脱しない範囲の設計等も含まれる。たとえばセクタ画像表示部分に表示する画像はセクタ画像に限定されず、走査断面箇所を立体表示で示す画像等とする形態であっても良い。
【図面の簡単な説明】
【００４５】
【図１】この発明の一実施形態に係る超音波探傷装置の概略を示すブロック図である。
【図２】信号処理回路の内部構成を示すブロック図である。
【図３】表示画面の一例を示す説明図である。
【図４】第２のデュアルポートメモリに出力する受信信号として過去の最大値の信号を用いる形態を示すタイムチャートであり、図４（ａ）は第１のクロックパルスを示し、図４（ｂ）は今回の受信信号の一例を示し、図４（ｃ）は記憶されている過去の最大値の一例を示し、図４（ｄ）は第２のデュアルポートメモリへの出力信号の一例を示す。
【図５】補間処理の一例を示す説明図であり、（ａ）は受信信号の一例を示し、（ｂ）は補間処理前の画像を示し、（ｃ）は補間処理後の画像を示す。
【符号の説明】
【００４６】
１…コントローラ  ２…圧電素子  ３…超音波発生制御回路  ３０１…パルス発生器  ３０２…遅延発生回路  ３０３…駆動回路  ４…信号処理回路  ４１１…第１のデュアルポートメモリ  ４１２…第２のデュアルポートメモリ  ４２１…受信回路  ４２２…受信ビームフォーマ  ４２３…セクタ画像描画回路  ４２４…特定ビーム番号  ４２５…特定ビーム番号に係る受信信号  ４２６，４２７…アドレス  ４３１…ビデオ同期信号生成部  ４３２…Ａスコープ画像描画回路  ４３３…画像合成回路  ４３４…水平・垂直同期信号  ４３５，４３６…アドレス  ４３７…ラスタ番号  ５…モニタ  ６…キースイッチ  ７…表示画面  ７０１…セクタ画像表示部分  ７０２…Ａスコープ画像表示部分  ７０３…カーソル
【図１】
2006214847.tif 000003
【図２】
2006214847.tif 000004
【図３】
2006214847.tif 000005
【図４】
2006214847.tif 000006
【図５】
2006214847.tif 000007